(57)【要約】【課題】  トーン信号によって当該信号送信装置が本来は互いにペアを構成しない信号受信装置に対しても信号を受信させることが可能であって、且つ、信号の受信を必要としない信号受信装置に信号の受信をさせることのない信号送信装置を提供する【解決手段】  互いに異なる複数のトーン信号のうちから任意のトーン信号を選択する選択手段である操作手段９と、その選択されたトーン信号に係る副搬送波の周波数を生成するための生成手段である制御手段８と、その制御手段からの信号のレベルを所定の値に整えるためのトラッキングフィルタ１１を具備してなるトーン信号設定手段１０を備えて構成し、ペアとさせるべき信号受信装置とトーン信号が互いに合致するようにトーン信号を選択設定が可能となる構成とした。【選択図】  図１
2007088907.tif 000002
【特許請求の範囲】
【請求項１】
入力されて来る信号を所定のレベルに増幅するＡＦアンプと、そのＡＦアンプの後段に接続され、ＡＦアンプからの信号を設定された周波数で発振させるためのＶＣＯ回路と、そのＶＣＯ回路の後段に接続され、ＶＣＯ回路からの信号を所定のレベルに増幅するＲＦ回路と、そのＲＦ回路の後段に接続され、ＲＦ回路からの信号からスプリアスを除去するローパスフィルタと、そのローパスフィルタの後段に接続され、信号を送出するためのアンテナと、前記ＶＣＯ回路に接続され、前記ＶＣＯ回路からＲＦ回路に送る信号の（搬送波の）周波数を設定するためのＰＬＬ回路と、そのＰＬＬ回路の前段に接続され、ＶＣＯ回路が所定通りの周波数で信号を出力するように、ＰＬＬ回路の機能を制御する制御手段が備えられ、
更に、副搬送波の周波数が互いに異なる複数のトーン信号のうちから任意のトーン信号を選択する選択手段と、その選択手段によって選択されたトーン信号に係る副搬送波の周波数を生成するための生成手段と、その生成手段からの前記副搬送波の周波数に係る信号のレベルを所定の値に整えるためのトラッキングフィルタを具備し、トラッキングフィルタからのトーン信号の副搬送波の周波数を示す信号を前記ＶＣＯ回路に送る構成であるトーン信号生成手段を設けてなる信号送信装置。
【請求項２】
前記制御手段にはクロック信号生成手段が備えられ、そのクロック信号生成手段からのクロック信号に基づいて所望の周波数のトーン信号を生成する構成の請求項１に記載の信号送信装置。
【発明の詳細な説明】
【技術分野】
【０００１】
この発明は、音声データなどの信号を送信する信号送信装置に関する。
特に、受信の相手を特定するためのトーン信号を副搬送波に載せて送り、そのトーン信号がペアとなる受信の側を認識して搬送波のデータを送る構成の信号送信装置に関する。
【背景技術】
【０００２】
信号送信装置は、この信号送信装置からの信号を受信する信号受信装置が備えられて始めて、信号の送信及び受信が行われ有用になる。つまり、信号送信装置は信号の伝達について、信号受信装置とペア（対）を構成して機能が価値を持つものになる。
更に、信号送信装置がペアの対象ではない信号受信装置に必要のない信号を送ることになったり、信号受信装置がペアの対象ではない信号送信装置から不必要な信号を受けることになっては問題である。
【０００３】
そこで、斯かる事態を避けるために、特定の信号送信装置からの信号は特定の信号受信装置のみが受信し、前記特定の信号送信装置からの信号を他の信号受信装置は受信ができず、前記特定の信号受信装置は他の信号送信装置からの信号を受信できないというペアを構成させるように、信号送信装置は、ペアを判別するためのトーン信号を載せた信号を送信し、信号受信装置は受信した信号にペアに対応するトーン信号が含まれているか否かを判断するようにしている。
【０００４】
上述したように、特定の信号受信装置が特定の信号送信装置に対してペアを構成する技術については、以下に示す公報で開示されている。
【０００５】
【特許文献１】特開２００４−１２８５６６号公報
【発明の開示】
【発明が解決しようとする課題】
【０００６】
特開２００４−１２８５６６号公報で開示されている発明の内容は、信号送信の側にトーン信号発生部とメモリと情報入力手段が、信号受信の側にト−ンバースト発生器がそれぞれ備えられている。
そして、前記情報入力手段は前記メモリにコード化された所定の情報を書込み、送信側の制御手段はそのメモリから前記情報をシリアルデータとして読出し、信号受信の側の制御手段が設定された情報を得ると表示器に表示させるように構成されている。
【０００７】
特開２００４−１２８５６６号公報で開示の発明は、信号送信の側は副搬送波にトーン信号を載せて信号を送り、信号受信の側は対（ペア）となるトーン信号にのみ対応して組合せを構成して信号受信を行うことから、信号送信の側と信号受信の側は互いに対応したもの同士で信号の送受が行われることが得られる。
しかしながら、同発明は、信号送信装置と信号受信装置を常に一組の対として管理する構成になっている。つまり、同発明の信号送信装置は唯一種類の信号受信装置を特定するので、結果的に、他の異なる信号判別器を備えた信号受信装置に対応しないという問題が生じて来る。
【０００８】
ここで、例えば、信号の送信と受信の例として、ワイヤレスのカラオケシステムを考えてみる。ワイヤレスのカラオケシステムでは、カラオケ歌唱の音声に係る信号を送る信号送信装置はマイクロホンの本体内に組み込まれている。
使用者は、信号送信装置を内蔵したマイクロホンを手に持って使用するが、それを落下させたり強い衝撃を与えたりする等して、結果的に、信号送信装置に破損を生じさせる場合がある。
他方、カラオケ歌唱の音声に係る信号を受信する信号受信装置は、信号送信装置に比して機能の不具合が生じることは少ないが、装置本体を移動させる際の衝撃等によって破損する場合も発生する。
【０００９】
そこで、斯かる場合においては、本来は互いにペアとして対応しない信号送信装置と信号受信装置の組み合わせであっても、信号の送受が可能となることが望ましい。
しかしながら、前述したように、信号送信装置はペアになる信号受信装置を特定して信号を送信しなければ、受信を望まない信号送信装置にも信号を送ることになり、本来受信先を特定して信号を送るという前提から外れることになる。
よって、互いにペアとして対応していない信号送信装置と信号受信装置との組み合わせでは使用ができないことになる。
【００１０】
この発明は、上記の事情に鑑みてなされたものであり、信号送信装置が本来は互いにペアとして対応しない信号受信装置に対しても信号を送ることが可能で、且つ、信号を必要としない信号受信装置に信号を送ることのない信号送信装置を提供するものである。
【課題を解決するための手段】
【００１１】
この発明は、複数のトーン信号を任意に送り得る信号送信装置である。
【００１２】
その詳細な構成は、入力されて来る信号を所定のレベルに増幅するＡＦアンプと、そのＡＦアンプの後段に接続され、ＡＦアンプからの信号を設定された周波数で発振させるためのＶＣＯ回路と、そのＶＣＯ回路の後段に接続され、ＶＣＯ回路からの信号を所定のレベルに増幅するＲＦ回路と、そのＲＦ回路の後段に接続され、ＲＦ回路からの信号からスプリアスを除去するローパスフィルタと、そのローパスフィルタの後段に接続され、信号を送出するためのアンテナと、前記ＶＣＯ回路に接続され、前記ＶＣＯ回路からＲＦ回路に送る信号の（搬送波の）周波数を設定するためのＰＬＬ回路と、そのＰＬＬ回路の前段に接続され、ＶＣＯ回路が所定通りの周波数で信号を出力するように、ＰＬＬ回路の機能を制御する制御手段が備えられ、更に、副搬送波の周波数が互いに異なる複数のトーン信号のうちから任意のトーン信号を選択する選択手段と、その選択手段によって選択されたトーン信号に係る副搬送波の周波数を生成するための生成手段と、その生成手段からの前記副搬送波の周波数に係る信号のレベルを所定の値に整えるためのトラッキングフィルタを具備し、トラッキングフィルタからのトーン信号の副搬送波の周波数を示す信号を前記ＶＣＯ回路に送る構成であるトーン信号生成手段を設けてなる信号送信装置である。
【００１３】
尚、トーン信号生成手段は、制御手段に備えられたクロック信号生成手段からのクロック信号に基づいて所望のトーン信号を生成する構成のものが挙げられる。
【００１４】
斯かる構成の信号送信装置は、ペアの判別となるトーン信号を任意に選択して送信することが可能である。
【発明の効果】
【００１５】
この発明は、信号受信装置とのペアの構成を判別するためのトーン信号を、互いに異なる複数のトーン信号の中から選択して送り得る構成にしたことにより、トーン信号に係る副搬送波の周波数が互いに異なる複数の受信装置に対してペアを構成させ、結果的に、信号を受信させることが可能な信号送信装置である。
【発明を実施するための最良の形態】
【００１６】
以下に、図面に従って、この発明の実施の最良の形態を詳細に説明する。しかし、この最良の形態によって、この発明が限定されるものではない。
【００１７】
信号送信装置Ｔは、カラオケ歌唱の音声を電気信号に変換し、その電気信号を信号受信装置の側に送信するものである。
信号送信装置Ｔは、図１に示すように、マイクロホン１と、ＡＦアンプ２と、ＶＣＯ回路３と、ＲＦ回路４と、ローパスフィルタ５（以下、ＬＰＦ５と記す）と、アンテナ６と、ＰＬＬ回路７と、制御手段８と、操作手段９と、トーン信号生成手段１０が備えられている。
【００１８】
マイクロホン１は、使用者のカラオケ歌唱の音声を電気信号に変換し、ＡＦアンプ２に送るものである。
ＡＦアンプ２は、マイクロホン１の後段に接続され、マイクロホン１からの信号を受け取ると、その信号を所定のレベルに増幅し、ＶＣＯ回路３に送るものである。
ＶＣＯ回路３は、ＰＬＬ回路７からの搬送波に係る周波数に係る情報（信号）を受けて特定周波数の搬送波を発振させるものである。
ここで、ＶＣＯ回路３において、ＡＦアンプ２からの音声に係る信号は前記搬送波に載せられることになる。
【００１９】
ＲＦ回路４は、ＶＣＯ回路３の後段に接続され、ＶＣＯ回路３からの信号を所定のレベルに増幅するものである。
ＬＰＦ５は、ＲＦ回路４の後段に接続され、ＲＦ回路４からの信号からスプリアスを除去するものである。
アンテナ６は、ＬＰＦ５の後段に接続され、ＬＰＦ５からの信号を送出するためのものである。
【００２０】
ＰＬＬ回路７は、ＶＣＯ回路３に接続され、ＶＣＯ回路３からＲＦ回路４に送る信号の（搬送波の）周波数を設定するためのものである。
制御手段８は、そのＰＬＬ回路７の前段に接続され、ＶＣＯ回路３が所定通りの周波数で信号を出力するように、ＰＬＬ回路７の機能を制御するものである。
操作手段９は、制御手段８の前段に接続され、信号送信装置Ｔの出力を操作するものである。
【００２１】
トーン信号生成手段１０は、トーン信号を搬送させるものとして、使用者が任意に選択した周波数の副搬送波を生成して出力させるものである。
トーン信号生成手段１０は、副搬送波の周波数が互いに異なる複数のトーン信号のうちから任意のトーン信号を選択する選択手段である操作手段９と、操作手段９からの選択に対応して決まる周波数の副搬送波に係る情報（信号）を生成する生成手段である制御手段８と、制御手段８からの情報（信号）のレベルを所定の値に整えるためのトラッキングフィルタ１１から構成されている。
尚、トーン信号の選択とは、トーン信号を搬送する副搬送波の周波数を選択することを意味する。
【００２２】
トーン信号生成手段１０は、ＶＣＯ回路３に接続されており、生成した任意の周波数に係る情報をＶＯＣ回路３に送るものである。
尚、トーン信号の生成は、制御手段９には水晶発振式のクロック信号生成手段（図示省略）が備えられており、このクロック信号生成手段が生成するクロック信号に基づいて所望の周波数に係る情報（信号）を生成する構成になっている。
【００２３】
信号送信装置Ｔにおいて、マイクロホン１は、集音部の部分球形体を円筒形状部に載置した形状になっている。そして、前記円筒部は使用者の握り部分であると共に、その内部の空洞部分に、ＡＦアンプ２、ＶＣＯ回路３、ＲＦ回路４、ＬＰＦ５、ＰＬＬ回路７、制御手段８、トーン信号生成手段１０が収納されている。
【００２４】
信号送信装置Ｔは、上述したように構成されている。以下において、信号送信装置Ｔの使用を説明する。
使用者は、信号送信装置Ｔとペアを構成する信号受信装置Ａ（図示省略）を用意し、電源を入れる。
尚、信号送信装置Ｔとペアの信号受信装置Ａが共通するトーン信号である副搬送波の周波数は、３２．７６８ＫＨｚである。
又、この信号受信装置Ａは、信号送信装置Ｔからのカラオケ歌唱の音声に係る信号の受信のみならず、その受信した信号を音声に変換し、増幅して出力する機能も備えられている。
【００２５】
使用者は、操作手段９を操作して、信号送信装置Ｔを出力可能、つまり使用可能な状態にする。
続いて、使用者は、バックグランドミュージックに合わせて、マイクロホン１に向かってカラオケ歌唱を行う。
ここで、マイクロホン１は、使用者のカラオケ歌唱の音声を電気信号に変換し、ＡＦアンプ２に送る。
【００２６】
ＡＦアンプ２は、マイクロホン１から信号を受けると、所定のレベルに増幅し、ＶＣＯ回路３に送る。
ＶＣＯ回路３は、ＡＦアンプ２からの前記のカラオケ歌唱の音声に係る信号を、ＰＬＬ回路７と共働して設定した周波数の搬送波に載せ、ＲＦ回路４に送る。
ＶＣＯ回路３は、ＡＦアンプ２からの前記のカラオケ歌唱の音声に係る信号の搬送波に対して、トーン信号生成手段１０からの周波数が３２．７６８ＫＨｚの副搬送波のトーン信号を、前記搬送波と共にＲＦ回路４に送る。
【００２７】
尚、周波数が３２．７６８ＫＨｚである前記副搬送波の生成は、トーン信号生成手段１０の機能によって行われる。
つまり、使用者が操作手段９で３２．７６８ＫＨｚの周波数を設定すると、制御手段８は内蔵するクロック信号生成手段のクロック信号に基づいて周波数が３２．７６８ＫＨｚの副搬送波に係る情報（信号）を生成し、トラッキングフィルタ１１に送る。
トラッキングフィルタ１１は、制御手段８からの副搬送波に係る情報を受け取ると、そのレベルを一定の値に整えて、ＶＣＯ回路３に送る。
【００２８】
ＲＦ回路４は、ＶＣＯ回路３で搬送波に載せられたカラオケ歌唱の音声に係る信号を所定のレベルに増幅して、ＬＰＦ５に送る。
ＬＰＦ５は、ＲＦ回路４からカラオケ歌唱の音声に係る信号を受け取ると、その信号に含まれているスプリアスの除去を行ってから、アンテナ６に送る。
【００２９】
アンテナ６は、ＬＰＦ５からカラオケ歌唱の音声に係る信号を受け取ると、その信号を電波として送出する。
ここで、信号受信装置Ａは、信号送信装置Ｔからのカラオケ歌唱の音声に係る信号を受信すると、トーン信号の副搬送波の周波数が３２．７６８ＫＨｚであることから、ペアであると判別し、搬送波に載せられているカラオケ歌唱の音声に係る信号を受信し、更に、その受信した信号を音声に変換させ、増幅して出力する。
使用者及び周りにいる者たちは、使用者の拡声されたカラオケ歌唱の音声を信号受信装置Ａから聴く。
【００３０】
ここで、信号受信装置Ａが故障を発生して使用が不可能となる。更に、この場に、信号受信装置Ａと同じようにトーン信号の副搬送波の周波数が３２．７６８ＫＨｚで信号送信の側とペアを構成する信号受信装置がない場合、信号送信装置Ｔに何ら故障がなくても、使用者はカラオケ歌謡を楽しむことはできない。
【００３１】
しかしながら、トーン信号の副搬送波の周波数が３８．４００ＫＨｚで信号送信の側とペアを構成する信号受信装置Ｂに対応させて、使用者は信号送信装置Ｔのトーン信号生成手段１０を機能されて、周波数が３８．４００ＫＨｚのトーン信号を出力させる。
つまり、使用者は、操作手段９でトーン信号の周波数を３２．７６８ＫＨｚから３８．４００ＫＨｚへの切り換え操作を行う。
【００３２】
ここで、制御手段８は、操作手段９からトーン信号の周波数を３８．４００ＫＨｚにする旨の信号を受けて、内蔵するクロック信号生成手段のクロック信号に基づいて周波数が３８．４００ＫＨｚの副搬送波を生成して、トラッキングフィルタ１１に送る。
トラッキングフィルタ１１は、制御手段８からの副搬送波の周波数に係る情報（信号）を受け取ると、その信号のレベルを一定の値に整えて、ＶＣＯ回路３に送る。
【００３３】
ＶＣＯ回路３は、ＡＦアンプ２からのカラオケ歌唱の音声に係る信号を搬送波に載せ、且つ、周波数が３８．４００ＫＨｚの副搬送波にトーン信号を載せてＲＦ回路４に送る。
前記カラオケ歌唱の音声に係る信号は、ＲＦ回路４及びＬＰＦ５で所定の処理を受けた後、アンテナ６から出力される。
ここで、信号受信装置Ｂは、信号送信装置Ｔからの信号を受けると、そのトーン信号に係る副搬送波の周波数が３８．４００ＫＨｚであることから、ペアを構成する信号送信の側からの信号と判別し、信号送信装置Ｔからの信号に受け取る。
【００３４】
信号受信装置Ｂは、信号受信装置Ａと同様に、信号送信装置Ｔからのカラオケ歌唱の音声に係る信号を所定通りの処理を行なって、拡声されたカラオケ歌唱の音声を出力する。
つまり、信号送信装置Ｔからのトーン信号は、トーン信号に係る副搬送波の周波数が互いに異なる信号受信装置Ａに対しても信号受信装置Ｂに対してもペアを構成すると判別させ、信号受信装置Ａにも信号受信装置Ｂにもカラオケ歌唱の音声に係る信号を受信させることができる。
【００３５】
他方、信号送信装置Ｔは、搬送波を送出する際はトーン信号を一緒に送出するので、このトーン信号に対してペアを構成する信号受信装置にのみ搬送波が受け取られ、トーン信号に対してペアを構成しない信号受信装置には搬送波は受け取られないので、ペアを構成しない信号受信装置が信号送信装置Ｔからの信号を受信して問題となるようなことはない。
【００３６】
信号送信装置Ｔはカラオケ歌唱の音声を送るためのものであるが、例えば、或る限られた受信者にのみ信号が受信されるように信号を送る、いわゆる特定呼び出し無線装置等であってもよい。信号送信装置Ｔは、送出する信号（電波）はカラオケ歌唱の音声つまり音声信号に係るものであるが、映像に係るもの、動画に係るもの、音声と映像との複合に係るもの等であってもよい。
【００３７】
信号送信装置Ｔは、トーン信号に係る副搬送波の周波数として３２．７６８ＫＨｚと３８．４００ＫＨｚの２つを使用しているが、３以上のトーン信号を使用する構成であってもよく、これらの周波数と異なる周波数のトーン信号を使用する構成であってよい。
信号送信装置Ｔは、送出すべき信号の入力端がマイクロホン１になっているが、任意の信号を送ることができるように、ＡＦアンプ２の前段は入力端子であってもよい。
【００３８】
信号送信装置Ｔにトーン信号生成手段１０が具備されていることに加えて、信号受信装置の側も複数のトーン信号を切り替え選択し得る構成によって、複数組の信号送信装置と信号受信装置を同時に使用しても、それぞれのペアが互いに異なるトーン信号を使用することによって、ペア以外の信号を受信するということを避けることが可能である。
【図面の簡単な説明】
【００３９】
【図１】この発明の実施の形態の信号送信装置の構成を示す機能ブロック図である。
【符号の説明】
【００４０】
Ｔ  ：  信号送信装置
１  ：  マイクロホン
２  ：  ＡＦアンプ
３  ：  ＶＣＯ回路
４  ：  ＲＦ回路
５  ：  ローパスフィルタ（ＬＰＦ）
６  ：  アンテナ
７  ：  ＰＬＬ回路
８  ：  制御手段（トーン信号生成手段の生成手段）
９  ：  操作手段（トーン信号生成手段の選択手段）
１０：  トーン信号生成手段
１１：  トラッキングフィルタ（シーン信号生成手段）
【図１】
2007088907.tif 000003